(57)【要約】【課題】障子が縦枠に当接されるときに生じる衝撃を低減することが可能な建具を提供する。【解決手段】枠体に案内されて移動方向に移動可能な障子と、前記枠体を構成し前記障子の戸先部と前記移動方向において対向する対向枠と、を有し、前記戸先部と前記対向枠とのうちの一方には、前記戸先部が前記対向枠に対する所定の位置に前記障子が移動したときに、前記戸先部と前記対向枠とのうちの他方に当接される当接部が設けられており、前記当接部は、前記障子を移動させる外力により当該当接部に押圧力が作用したときに、前記押圧力を吸収すべく弾性変形する弾性変形部を介して設けられている。【選択図】図６
2014156695.tif 000002
【特許請求の範囲】
【請求項１】
枠体に案内されて移動方向に移動可能な障子と、
前記枠体を構成し前記障子の戸先部と前記移動方向において対向する対向枠と、
を有し、
前記戸先部と前記対向枠とのうちの一方には、
前記戸先部が前記対向枠に対する所定の位置に前記障子が移動したときに、前記戸先部と前記対向枠とのうちの他方に当接される当接部が設けられており、
前記当接部は、前記障子を移動させる外力により当該当接部に押圧力が作用したときに、前記押圧力を吸収すべく弾性変形する弾性変形部を介して設けられていることを特徴とする建具。
【請求項２】
請求項１に記載の建具であって、
前記当接部と前記弾性変形部とは前記移動方向と交差する方向において互いに隣り合う位置に配置されるとともに、
前記当接部は、前記押圧力が作用する前記移動方向への移動が許容されており、
前記弾性変形部は、前記移動方向への移動が規制され、
前記当接部に前記押圧力が作用したときに生じるモーメントにより弾性変形することを特徴とする建具。
【請求項３】
請求項１または請求項２に記載の建具であって、
前記当接部は、前記弾性変形部を介して、前記戸先部と前記対向枠のうちの前記一方に固定されており、
前記弾性変形部が撓むことにより前記押圧力を吸収することを特徴とする建具。
【請求項４】
請求項３に記載の建具であって、
前記移動方向と直交する方向において、前記モーメントの中心と前記当接部との距離は、前記モーメントの中心と前記弾性変形部において撓みによる変位量が最も大きい部位までの距離より短いことを特徴とする建具。
【請求項５】
請求項１乃至請求項４のいずれか記載の建具であって、
前記戸先部と前記対向枠とのうちの一方は、前記当接部とともに当接されて前記障子の位置を規制する規制部を備えており、
前記戸先部が前記対向枠に対する前記所定の位置は、前記当接部が前記対向枠に当接されて前記戸先部と前記対向枠とが平行をなす位置であることを特徴とする建具。
【請求項６】
請求項１乃至請求項５のいずれかに記載の建具であって、
前記枠体は、前記移動方向に沿って設けられ前記障子を案内する案内部を備え、
前記障子は、前記案内部と係合して摺動しつつ移動する摺動部材を有する摺動ユニットを備え、
前記当接部は、前記摺動ユニットに設けられていることを特徴とする建具。
【発明の詳細な説明】
【技術分野】
【０００１】
本発明は、枠体に案内されて移動方向に移動可能な障子を備えた建具に関する。
【背景技術】
【０００２】
枠体に案内されて移動方向に移動可能な障子、例えば、ガラス戸や網戸などを備えた建具としては、例えば、方形状に框組みしてなる框体内にガラス体が納められた内障子及び外障子が、上枠と下枠及び左右の縦枠を方形状に枠組みしてなる枠体内に引き違い状に納められ、外障子の室外側に網戸が納められたサッシが知られている（例えば、特許文献１参照）。このようなサッシは、枠体が形成する開口を閉塞すべく内障子及び外障子を閉じたときには、内障子及び外障子の戸先框内に設けられて、内障子及び外障子を見込み方向の適切な位置に案内する部材が枠体の内周側に突出する部位に当接される。また、網戸においては、見付け方向における枠体の両端側にて、網戸の縦框が枠体を構成する縦枠に当接される。
【先行技術文献】
【特許文献】
【０００３】
【特許文献１】特開２０１１−２０８３９１号公報
【発明の概要】
【発明が解決しようとする課題】
【０００４】
上記のようなサッシは、内障子及び外障子を閉じるとき、または網戸を移動したときに、内障子、外障子、及び、網戸が縦枠に向かって移動して縦枠に当接されるので、縦枠に当接するときに縦枠に押圧力が作用する。特に、網戸は、軽量であるため、勢いよく縦枠に当接される場合があり、このような操作による衝撃が繰り返されることにより、上枠及び下枠と縦枠との接合部に隙間が生じる、或いは、縦枠が変形する場合があるという課題がある。
【０００５】
本発明は、かかる課題に鑑みてなされたものであり、その目的とするところは、障子が縦枠に当接されるときに生じる衝撃を低減することが可能な建具を提供することにある。
【課題を解決するための手段】
【０００６】
かかる目的を達成するために本発明の建具は、枠体に案内されて移動方向に移動可能な障子と、前記枠体を構成し前記障子の戸先部と前記移動方向において対向する対向枠と、を有し、前記戸先部と前記対向枠とのうちの一方には、前記戸先部が前記対向枠に対する所定の位置に前記障子が移動したときに前記戸先部と前記対向枠とのうちの他方に当接される当接部が設けられており、前記当接部は、前記障子を移動させる外力により当該当接部に押圧力が作用したときに、前記押圧力を吸収すべく弾性変形する弾性変形部を介して設けられていることを特徴とする建具である。
【０００７】
このような建具によれば、障子の戸先部と枠体の対向枠とのうちの一方には、戸先部が対向枠に対する所定の位置に障子が移動したときに、戸先部と対向枠とのうちの他方に当接される当接部が設けられているので、戸先部と対向枠とのうちの他方に当接部を当接させることにより障子を所定の位置に移動させることが可能である。また、障子を移動させる外力により当接部を押圧する押圧力が作用したときに、その押圧力を吸収すべく弾性変形する弾性変形部を介して当接部が設けられているので、戸先部が所定の位置に至った際に当接部が押圧される場合には、押圧力が弾性変形部により吸収されるので、戸先部と対向枠との間にて作用する押圧力を軽減することが可能である。このため、障子が縦枠に当接されるときに生じる衝撃を低減することが可能である。
【０００８】
かかる建具であって、前記当接部と前記弾性変形部とは前記移動方向と交差する方向において互いに隣り合う位置に配置されるとともに、前記当接部は、前記押圧力が作用する前記移動方向への移動が許容されており、前記弾性変形部は、前記移動方向への移動が規制され、前記当接部に前記押圧力が作用したときに生じるモーメントにより弾性変形することが望ましい。  
このような建具によれば、当接部と弾性変形部とは移動方向と交差する方向において互いに隣り合う位置に配置されるので、移動方向への移動が許容されている当接部に押圧力が作用すると、移動方向への移動が規制されている弾性変形部との間を中心として当接部が移動方向に回転しようとするモーメントが生じる。このとき、回転の中心に対して当接部と反対側に位置する弾性変形部は、生じたモーメントにより移動方向と反対方向に作用する力により弾性変形するので、当接部に作用した押圧力を吸収することが可能である。
【０００９】
かかる建具であって、前記当接部は、前記弾性変形部を介して、前記戸先部と前記対向枠のうちの前記一方に固定されており、前記弾性変形部が撓むことにより前記押圧力を吸収することが望ましい。  
このような建具によれば、弾性変形部が撓むことにより押圧力を吸収することができるので、例えば、バネなどの弾性体を用いる場合より簡単な構造にて実現することが可能である。
【００１０】
かかる建具であって、前記移動方向と直交する方向において、前記モーメントの中心と前記当接部との距離は、前記モーメントの中心と前記弾性変形部において撓みによる変位量が最も大きい部位までの距離より短いことが望ましい。  
このような建具によれば、モーメントの中心と当接部との距離が、移動方向と直交する方向において、モーメントの中心と弾性変形部において撓みによる変位量が最も大きい部位までの距離より短いので、当接部の移動方向における変位が小さくても、弾性変形部をより大きく変形させて押圧力を吸収させることが可能である。このため、より大きな押圧力を吸収することが可能である。
【００１１】
かかる建具であって、前記戸先部と前記対向枠とのうちの一方は、前記当接部とともに当接されて前記障子の位置を規制する規制部を備えており、前記戸先部が前記対向枠に対する前記所定の位置は、前記当接部が前記対向枠に当接されて前記戸先部と前記対向枠とが平行をなす位置であることが望ましい。  
このような建具によれば、当接部が、戸先部と対向枠とのうちの他方に当接される所定の位置は、戸先部と対向枠とが平行をなす位置なので、障子と対向枠とが平行となる位置を越える際に生じる押圧力が弾性変形部により吸収される。このため、弾性変形部の弾性変形による復元力を、障子と対向枠とが平行となるように作用させることが可能である。
【００１２】
かかる建具であって、前記枠体は、前記移動方向に沿って設けられ前記障子を案内する案内部を備え、前記障子は、前記案内部と係合して摺動しつつ移動する摺動部材を有する摺動ユニットを備え、前記当接部は、前記摺動ユニットに設けられていることが望ましい。  
このような建具によれば、当接部が摺動ユニットに設けられているので、当接部と摺動ユニットとを個々に取り付ける必要はない。このため、組立が容易である。
【発明の効果】
【００１３】
本発明によれば、障子が縦枠に当接されるときに生じる衝撃を低減することが可能である。
【図面の簡単な説明】
【００１４】
【図１】本実施形態に係る建具を室外側から見た外観図である。
【図２】本実施形態に係る建具を示す横断面図である。
【図３】図３（ａ）は、建具の右上部に設けられた摺動ユニットを示す平面図であり、図３（ｂ）は、図１におけるＡ−Ａ断面図である。
【図４】建具の右上部に設けられた摺動ユニットを室外側から見た図である。
【図５】摺動ユニットの斜視図である。
【図６】押圧力により弾性変形した弾性変形部を示す図である。
【発明を実施するための形態】
【００１５】
以下、本発明の一実施形態に係る建具について図面を参照して説明する。
【００１６】
本実施形態では、室内外の境界に設けられ、図１、図２に示すように、上枠１１、下枠１２と左右の縦枠１３とが矩形状に枠組みされた枠体１０と、枠体１０にて形成される枠開口１０ａを閉塞可能な２枚の障子としてのガラス戸１５と、２枚のガラス戸１５の室外側に設けられた障子としての網戸２０と、を有する引き違い方式の建具１を例に挙げて説明する。
【００１７】
以下の説明においては、建物等に取り付けられた建具１を室外側から見たときに、上下となる方向を上下方向、左右となる方向を左右方向または見付け方向、室内外方向である奥行き方向を見込み方向として示す。また、建具１が備える各部材は、単体として説明する場合であっても、建物等に取り付けられた状態で上下方向、見付け方向、見込み方向等となる方向にて方向を特定して説明する。また、見付け方向については、枠体１０及び後述する框体２１の面内方向において枠開口１０ａ及び框開口２１ａの中央側を内周側、枠開口１０ａ及び框開口２１ａの外側を外周側として示す。
【００１８】
本実施形態の建具１は、上枠１１及び下枠１２に見付け方向に沿って設けられたレール１０ｂ、１０ｃに沿って、２枚のガラス戸１５、及び、網戸２０が移動可能に設けられている。
【００１９】
枠体１０の上枠１１及び下枠１２には、最も室外側に網戸２０を案内する網戸レール１０ｃが設けられており、左右の縦枠１３には、見付け方向における左右の端側に移動された網戸２０と係合するヒレ状の係合部１３ａが設けられている。係合部１３ａは、上下の網戸レール１０ｃと繋がるように、枠体１０の内周側に突出されている。
【００２０】
網戸２０の框体２１は、互いに間隔を隔てた左右の縦框２４の上下端部間に上框２２と下框２３とが接合されて矩形状に框組みされており、框体２１の内周側に網材４０が張設されて形成されている。網戸２０は、枠体１０の見付け方向において、左右のいずれの縦枠１３にも係合すべく移動するので、網戸２０が備える２本の縦框２４は、いずれも戸先部に相当し、網戸２０が移動する際の進行方向が移動方向に相当する。また、左右の縦枠１３が、網戸２０の戸先部をなす２本の縦框２４と対向する対向枠に相当する。
【００２１】
縦框２４は、図３に示すように、上下方向に連通し、平面視ほぼ矩形状の中空部２５を形成する縦框本体部２６と、縦框本体部２６において室外に臨む室外側壁部２６ａと、室内に臨む室内側壁部２６ｂとが框体２１の外周側に延出され形成され、外周側に向かって開放された外周溝部２７をなし、縦框本体部２６にて框体２１の内周側に面する内周壁部２６ｃには、網材４０の端部が固定される固定溝部２８が形成されている。
【００２２】
室外側壁部２６ａと繋がって外周溝部２７の室外に臨む面を形成する外溝壁部２７ａには、縦框２４の中空部２５を形成し内周壁部２６ｃと対面するとともに外周溝部２７の底部をなす外周壁部２６ｄと、見付け方向に間隔を隔てて室内側に突出する突起２７ｂが設けられている。また、室内側壁部２６ｂと繋がって外周溝部２７の室内に臨む面を形成する内溝壁部２７ｃには、外周壁部２６ｄと見付け方向に間隔を隔てた位置にシール部材（不図示）が室内側から嵌合される嵌合溝２７ｄが設けられている。突起２７ｂと嵌合溝２７ｄの内周側の縁とは、見込み方向に対向する位置に設けられている。
【００２３】
外周壁部２６ｄには、外周壁部２６ｄの室外側壁部２６ａ側と室内側壁部２６ｂ側とを僅かに残して、見込み方向に対向する突片２６ｅを形成するように、縦框２４の上端から下方に切り欠かいた外凹部２６ｆ(図４)が設けられている。また、外周壁部２６ｄと見付け方向にて対向する内周壁部２６ｃには、縦框２４の上端から下方に切り欠かいて、後述する摺動ユニット３５の内周側の部位が入り込む内凹部２６ｇ（図４）が設けられている。
【００２４】
下框２３の左右の端部には、図１に示すように、下側の網戸レール１０ｃ上に載置されつつ案内される戸車３１と、戸車３１を回動自在に支持するハウジング３２と、を有する戸車ユニット３０がそれぞれ設けられている。戸車ユニット３０には、網戸２０が枠体１０内において、左右の端に移動された際に、左右の縦枠１３が有する係合部１３ａと係合して、網戸２０の縦枠１３に対する位置を規制する規制部３３がハウジング３２に一体に設けられている。
【００２５】
戸車ユニット３０は、ハウジング３２が、下框２３及び当該下框２３と連結された縦框２４内にわたって設けられており、規制部３３は、中空部２５側から外周溝部２７内に至るように形成されており、係合部１３ａに当接される規制部３３が外周溝部２７の開放されている外周側に臨むように形成されている。
【００２６】
また、左右の戸車ユニット３０は各々、網戸２０が下枠１２の網戸レール１０ｃに載置された状態にて、ハウジング３２に対する戸車３１の上下方向における位置、すなわち高さを調整可能な調整機構(不図示)を備えている。このため、左右の戸車ユニット３０において、ハウジング３２に対する戸車３１の位置を調整することにより枠体１０に対する網戸の傾きを調整することが可能である。
【００２７】
左右の縦框２４の上端部には、網戸２０が移動する際に、上枠１１の網戸レール１０ｃと摺動する摺動部材３６を備えた合成樹脂製の摺動ユニット３５が、それぞれ設けられている。ここで、摺動部材３６が係合しつつ移動する、上枠１１の網戸レール１０ｃが案内部に相当する。
【００２８】
摺動ユニット３５は、図３〜図５に示すように、外周壁部２６ｄの室外側壁部２６ａ側と室内側壁部２６ｂ側とに設けられた突片２６ｅが挿入されるスリット３５ａを備え中空部２５及び外周溝部２７にそれぞれ嵌合される中空嵌合部３５ｂ及び溝部嵌合部３５ｃが一体に設けられた摺動ユニット嵌合部３５ｄと、中空嵌合部３５ｂの下部側に一体に設けられ中空部２５内から上框２２側に至るように収容されるホルダ３５ｅと、ホルダ３５ｅに回動自在に支持されるとともに、捻りばね３９により上方に付勢されて下方に移動可能な摺動部材３６と、中空嵌合部３５ｂから下方に延出された弾性変形部３５ｆと、弾性変形部３５ｆの下部に設けられ、網戸２０が見付け方向の左右の端に移動されたときに係合部１３ａが当接される当接部３５ｇと、を有している。
【００２９】
摺動ユニット３５は、縦框２４の上方から溝部嵌合部３５ｃ、弾性変形部３５ｆ、当接部３５ｇが、外周溝部２７内に挿入され、摺動部材３６が設けられたホルダ３５ｅ及び中空嵌合部３５ｂが中空部２５に挿入されて、スリット３５ａに突片２６ｅが入り込むように縦框２４の上端に嵌合される。このとき、摺動ユニット嵌合部３５ｄが外凹部２６ｆに支持され、ホルダ３５ｅが中空部２５間に架け渡されるように内凹部２６ｇに支持される。また、溝部嵌合部３５ｃの上端に、見込み方向において各々、中空部２５の外側に向かって突出された縁部３５ｏが、外周溝部２７の外溝壁部２７ａ及び内溝壁部２７ｃの上端と係合する。
【００３０】
摺動ユニット嵌合部３５ｄには、網戸２０が枠体１０に取り付けられた際に上枠１１の網戸レール１０ｃが挿通されるＶ字状の溝３５ｈが見付け方向に沿って設けられている。
【００３１】
溝部嵌合部３５ｃと弾性変形部３５ｆは、図３（ａ）、図３（ｂ）に示すように、見込み方向の幅Ｗ１が、外周溝部２７内に設けられた突起２７ｂと嵌合溝２７ｄとの、見込み方向における間隔Ｗ２より広く形成されている。
【００３２】
弾性変形部３５ｆの下端側には、上部側より見付け方向の厚みが厚い厚肉部３５ｉが設けられている。厚肉部３５ｉの見付け方向の厚みｔは、外周壁部２６ｄと突起２７ｂ及び嵌合溝２７ｄの内周側の縁との間隔Ｗ３より僅かに狭く形成されている。そして、弾性変形部３５ｆの見付け方向における内周側の面は外周壁部２６ｄにほぼ沿うように配置されており、厚肉部３５ｉより上部側の変形部本体３５ｌは、突起２７ｂ及び嵌合溝２７ｄの内周側の縁との間隔Ｗ４が、厚肉部３５ｉより広く設けられている。
【００３３】
厚肉部３５ｉの下端には、下方に向かって見付け方向の厚みが薄くなるテーパー３５ｊ、３５ｋが、内周側と外周側とにそれぞれ設けられている。内周側に設けられた内テーパー３５ｊは、外周側に設けられた外テーパー３５ｋより上方まで形成されている。
【００３４】
当接部３５ｇは、厚肉部３５ｉの半分よりほぼ下側に設けられて、厚肉部３５ｉより下側まで延出され、厚肉部３５ｉの外周側に設けられた外テーパー３５ｋより上側の部位のみが厚肉部３５ｉと連結されている。すなわち、当接部３５ｇと弾性変形部３５ｆとは、移動方向と交差するほぼ上下方向において互いに隣り合う位置に配置されている。当接部３５ｇの厚肉部３５ｉより下側に延出された部位と外周壁部２６ｄとは、見付け方向に間隔が隔てられている。
【００３５】
当接部３５ｇは、外周溝部２７内に設けられた突起２７ｂ及び嵌合溝２７ｄより内周側に設けられた弾性変形部３５ｆと繋がり、当接部３５ｇの係合部１３ａと当接する当接面３５ｍが、突起２７ｂと嵌合溝２７ｄとの間から当該突起２７ｂより外周側に突出している。この当接面３５ｍは、外テーパー３５ｋの上端より下側に設けられており、当接部３５ｇの当接面３５ｍより上側は、上方に向かって見付け方向の幅が狭くなるような当接テーパー部３５ｎが設けられている。
【００３６】
網戸２０は、枠体１０における左右の端側に移動させた状態にて、左右の下端部に設けられた戸車ユニット３０が有する戸車３１の上下方向における位置を調整して、図４に示すように、戸車ユニット３０の規制部３３と、弾性変形部３５ｆが変形しない状態にて摺動ユニット３５の当接面３５ｍとが、縦枠１３の係合部１３ａに当接するように網戸の姿勢が調整される。網戸２０の戸車３１の位置が調整された状態では、網戸２０と左右の縦枠１３とが平行をなしている。
【００３７】
ところで、網戸等の障子は、室内または室外側から、上部側が下部側より奥側に位置するように見込み方向に傾斜させた状態にて、障子を上方に移動させて上部を上枠内に挿入した後に、下部側を奥側に移動して障子がほぼ鉛直な状態となった後に、下枠のレール上に載置する、所謂けんどん方式にて枠体に取り付けられることが多い。このため、障子の上部には、枠体との間に空隙が設けられていることが多い。
【００３８】
このような障子を枠体に沿って移動させる場合には、進行方向の前方側に位置する縦框に手を掛けて、当該縦框を進行方向に向かって外力を作用させて押圧し移動させる。このとき、進行方向の前側に位置する戸車を中心として障子にモーメントが作用する。すなわち、障子の下端側より上端側の方が先行するように障子が傾くおそれがある。特に、重量が小さな網戸の場合には、網戸が傾斜する傾向が顕著になる。
【００３９】
そして、網戸の下端側より上端側の方が先行するように網戸が傾いて移動し、縦框の係合部と係合したときには、ほぼ同時に係合部に当接するはずの戸車ユニットの規制部と摺動ユニットの当接面とのうち、当接面の方が先に当接する。このとき、網戸の姿勢を調整するための規制部及び当接部が、框体に高い剛性を備えて設けられているような従来の網戸の場合には、係合部に、当接面の当接により押圧力が作用する。すなわち、網戸２０を移動させる外力により当接部３５ｇに押圧力が作用する。このような当接面からの押圧力が繰り返し作用すると、進行方向の前方側の縦枠と上枠との間に隙間が生じる、或いは、縦枠が変形するおそれがある。
【００４０】
そこで、本願の建具１は、障子としての網戸２０に設けられている当接部３５ｇ(当接面３５ｍ)と、框体２１に嵌合された摺動ユニット嵌合部３５ｄとの間に介在された弾性変形部３５ｆの、内周側への移動を規制し、当接部３５ｇの内周方向への移動を許容するように構成している。このため、係合部１３ａに、当接面３５ｍの当接により押圧力が作用したときに当接部３５ｇも係合部１３ａにより内周側に押圧されて、図６に示すように、厚肉部３５ｉに設けられた内テーパー３５ｊの上縁を中心Ｏとして、当接部３５ｇ及び弾性変形部３５ｆにモーメントが作用する。当接部３５ｇ及び弾性変形部３５ｆにモーメントが作用することにより、弾性変形部３５ｆが、変形部本体３５ｌにおける上下方向の中央が最も外周側に変位して撓むように弾性変形して押圧力が吸収される。
【００４１】
本実施形態の建具１によれば、網戸２０が移動して縦枠１３と係合する網戸２０の縦框２４には、縦框２４が縦枠１３に対する所定の位置に網戸２０が移動したときに、縦枠１３の係合部１３ａに当接される当接部３５ｇが設けられているので、縦枠１３の係合部１３ａに当接部３５ｇを当接させることにより網戸２０を所定の位置に移動させることが可能である。また、網戸２０を移動させる外力により当接部３５ｇを押圧する押圧力が作用したときに、その押圧力を吸収すべく弾性変形する弾性変形部３５ｆを介して当接部３５ｇが設けられているので、縦框２４が所定の位置に至った際に当接部３５ｇが押圧される場合には、押圧力が弾性変形部３５ｆにより吸収されるので、縦框２４と縦枠１３との間にて作用する押圧力を軽減することが可能である。このため、網戸２０が縦枠１３に当接されるときに生じる衝撃を低減することが可能である。
【００４２】
また、当接部３５ｇと弾性変形部３５ｆとは移動方向と交差する方向、すなわち上下方向において互いに隣り合う位置に配置されるので、移動方向への移動が許容されている当接部３５ｇに押圧力が作用すると、移動方向への移動が規制されている弾性変形部３５ｆとの間、すなわち、内テーパー３５ｊの上縁を中心Ｏとして当接部３５ｇが移動方向に回転しようとするモーメントが生じる。このとき、回転の中心Ｏに対して当接部３５ｇと反対側に位置する弾性変形部３５ｆの変形部本体３５ｌは、生じたモーメントにより移動方向と反対方向に作用する力により撓むように弾性変形するので、当接部３５ｇに作用した押圧力を吸収することが可能である。
【００４３】
また、モーメントの中心Ｏと当接部３５ｇとの距離Ｌ１が、移動方向と直交する上下方向において、モーメントの中心Ｏと、撓み変形する弾性変形部３５ｆにおいて最も変位が大きな、変形部本体３５ｌの中央との距離Ｌ２より短いので、当接部３５ｇの移動方向における小さな変位であっても、弾性変形部３５ｆをより大きく変形させて押圧力を吸収させることが可能である。このため、より大きな押圧力を吸収することが可能である。
【００４４】
また、当接部３５ｇが、縦枠１３の係合部１３ａに当接される所定の位置は、網戸２０と縦枠１３とが平行をなす位置なので、網戸２０と縦枠１３とが平行となる位置を越える際に生じる押圧力が吸収され、弾性変形部３５ｆの弾性変形による復元力を、網戸２０と縦枠１３とが平行となるように作用させることが可能である。
【００４５】
また、弾性変形部３５ｆを変形部本体３５ｌが撓む形態としたので、より簡単な構造にて押圧力を吸収することが可能である。本実施形態においては、弾性変形部３５ｆと当接部３５ｇとが一体に形成されている例について説明したが、各々別体に形成された弾性変形部と当接部とが接合された形態であっても構わない。また、本実施形態においては、弾性変形部３５ｆが撓み変形する例を挙げて説明したが、弾性変形部として例えば、バネなどの弾性体を用いても構わない。
【００４６】
本実施形態の当接部３５ｇは、枠体１０の上枠１１に設けられた網戸レール１０ｃと係合して摺動しつつ移動する摺動部材３６が設けられている摺動ユニット３５と一体に形成されているので、当接部３５ｇと摺動部材３６とを個々に取り付ける必要はない。このため、組立が容易である。尚、当接部３５ｇと摺動部材３６とは必ずしも一体に設けられていなくともよい。また、当接部及び弾性変形部は、障子の戸先部または縦枠に一体に形成されていても構わない。
【００４７】
上記実施形態においては、障子として網戸２０を例に挙げて説明したが、これに限らず、例えば、ガラス戸等であっても構わない。また、引き違いタイプの建具１を例に挙げて説明したが、片引きタイプの障子など枠体に沿って移動可能な障子であれば構わない。また、左右方向に移動する障子を例に挙げて説明したが、障子の移動方向は上下方向であっても構わない。
【００４８】
また、上記実施形態においては、戸先部が縦枠と係合した際に、衝撃を吸収する当接部及び弾性変形部を障子側に備えた例について説明したが、縦枠側に設けられていても構わない。
【００４９】
上記実施形態においては、網戸２０の縦框２４が有する外周溝部２７内に左右の縦枠１３が有する係合部１３ａが入り込むことにより係合する例について説明したが、これに限るものではない。たとえば、枠体と網戸の戸先部との係合には、縦枠に設けられた溝部に縦框に設けられたヒレ状の部位が入り込むことにより係合する場合、或いは、縦枠側に上下方向に沿って設けられ内周側に向かって開放された溝部に戸先の縦框が入り込み、互いの平面部同士が当接されることにより係合する場合も含まれる。
【００５０】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１  建具、１０  枠体、１０ｂａ  網戸レール、１１  上枠、１３  縦枠、
１３ａ  係合部、２０  網戸、２４  縦框、３３  規制部、３５  摺動ユニット、
３５ｆ  弾性変形部、３５ｇ  当接部、３５ｌ  変形部本体、３５ｍ  当接面、
３６  摺動部材、
Ｏ  モーメントの中心
【図１】
2014156695.tif 000003
【図２】
2014156695.tif 000004
【図３】
2014156695.tif 000005
【図４】
2014156695.tif 000006
【図５】
2014156695.tif 000007
【図６】
2014156695.tif 000008